(57)【特許請求の範囲】
【請求項１】
無線ネットワークにおけるユーザ装置の往復伝搬遅延を算出する方法であって、
ａ．前記無線ネットワークのノードから前記ユーザ装置へのダウンリンク伝送信号の開始から、該ダウンリンク伝送信号への応答としての前記ユーザ装置から前記ノードへのアップリンク伝送信号の受信までの時間を含む往復時間を測定するステップと、
ｂ．前記ステップａにおける前記ユーザ装置での前記ダウンリンク伝送信号の受信の開始及び前記ユーザ装置からの前記アップリンク伝送信号の送信の開始の間の時間差を含むユーザ装置のRx-Txタイミング差を前記ユーザ装置により測定するステップと、
ｃ．前記ステップａで測定した前記往復時間から、前記ステップｂで求めた前記ユーザ装置のRx-Txタイミング差を減算することにより、前記ユーザ装置及び前記ノード間の前記往復伝搬遅延を算出するステップとを、
備える方法。
【請求項２】
前記ステップａが、前記ユーザ装置から前記無線ネットワークのノードまでの往復時間を、定期的に測定することを含む請求項1記載の方法。
【請求項３】
前記ステップｂが、定期的に測定された前記往復時間の各々について、前記ユーザ装置のRx-Txタイミング差を測定することを含む請求項2記載の方法。
【請求項４】
前記ステップｂが、前記ユーザ装置のRx-Txタイミング差を、定期的に測定することを含む請求項1記載の方法。
【請求項５】
前記ステップａが、往復時間測定のみのための前記ユーザ装置へのダウンリンク伝送を送信することを含む請求項1記載の方法。
【請求項６】
前記ステップａが、
ダウンリンク伝送信号を、前記ノードから前記ユーザ装置へ送信し、
前記ユーザ装置にて、前記ダウンリンク伝送信号に対する応答を生成し、
前記ユーザ装置から前記ノードへのアップリンク伝送で、前記応答を送信し、
前記ノードにて、前記ダウンリンク伝送信号の送信開始から前記アップリンク伝送の受信開始までの時間を測定することを、
含む請求項5記載の方法。
【請求項７】
前記ステップｂが、前記ユーザ装置から前記ノードへ送信される前記の応答とともに、前記ユーザ装置のRx-Txタイミング差を送信することを含む請求項6記載の方法。
【請求項８】
前記ステップａが、前記ユーザ装置及び前記ノード間のダウンリンク伝送及びアップリンク伝送の前記往復時間を測定することを含み、前記ダウンリンク伝送及びアップリンク伝送は、前記往復時間の測定以外の機能のためになされる伝送を含む請求項1記載の方法。
【請求項９】
前記ステップａが、
ダウンリンク伝送信号を、前記ノードから前記ユーザ装置へ送信し、
前記ユーザ装置にて、前記ダウンリンク伝送信号に対する応答を生成し、
前記ユーザ装置から前記ノードへのアップリンク伝送で、前記応答を送信し、
前記ノードにて、前記ダウンリンク伝送の送信開始から前記アップリンク伝送の受信開始までの時間を測定することを、
含む請求項8記載の方法。
【請求項１０】
前記ステップｂが、前記ユーザ装置から前記ノードへ送信される前記応答とともに、前記ユーザ装置のRx-Txタイミング差を送信することを、含む請求項9記載の方法。
【請求項１１】
無線ネットワークにおいて、測位サービスサーバによってユーザ装置の地理的位置を特定する方法であって、
ａ．前記無線ネットワークの第１のアクティブなノードから前記ユーザ装置へのダウンリンク伝送信号の送信の開始から、該ダウンリンク伝送信号への応答としての前記ユーザ装置から前記第１のアクティブなノードへのアップリンク伝送信号の受信までの時間を含む往復時間を測定するステップと、
ｂ．前記ステップａにおける前記ユーザ装置での前記ダウンリンク伝送信号の受信の開始及び前記ユーザ装置からの前記アップリンク伝送信号の送信の開始の間の時間差を含むユーザ装置のRx-Txタイミング差を前記ユーザ装置により測定するステップと、
ｃ．前記ステップａで測定した前記往復時間から、前記ステップｂで求めた現在の伝送タイミング遅延を減算することにより、前記ユーザ装置及び前記第１のアクティブなノード間の伝搬遅延を算出するステップと、
ｄ．前記無線ネットワークにおける残りの全てのアクティブなノードについて前記ステップａ〜ｃを繰り返すステップと、
ｅ．前記アクティブなノードの地理的位置を求めるステップと、
ｆ．前記アクティブなノードの位置、及び前記ステップｃで算出した前記アクティブなノードの各々の伝搬遅延を用いて、前記ユーザ装置の位置を特定するステップと、を備える方法。
【請求項１２】
前記ステップａからｆまでの前に、前記測位サービスサーバへ、前記ユーザ装置の地理的位置の要求を送信するステップをさらに備えた請求項11記載の方法。
【請求項１３】
前記ステップａからｆまでは、前記地理的位置の要求を送信するステップに対する応答として実行される請求項12記載の方法。
【請求項１４】
前記地理的位置の要求を送信するステップが、前記ユーザ装置により要求を送信することを含む請求項12記載の方法。
【請求項１５】
前記地理的位置の要求を送信するステップが、外部クライアントにより要求を送信することを含む請求項12記載の方法。
【請求項１６】
前記地理的位置の要求を送信するステップが、コアネットワークにより要求を送信することを含む請求項12記載の方法。
【請求項１７】
前記ステップｂが、ユーザ装置のRx-Txタイミング遅延を、前記ユーザ装置から前記測位サービスサーバへ、前記ユーザ装置のRx-Txタイミング遅延が変化する度毎に送信することを含む請求項11記載の方法。
【請求項１８】
前記無線ネットワークの前記アクティブなノードについて、ステップａを定期的に実行することをさらに含む請求項11記載の方法。
【請求項１９】
前記ステップｂが、前記ステップａの実行の度毎に、前記ユーザ装置のRx-Txタイミング差を測定することを含む請求項18記載の方法。
【請求項２０】
前記ステップｂが、前記ユーザ装置及び前記アクティブなノード間の前記ユーザ装置のRx-Txタイミング差を定期的に求めることを含む請求項11記載の方法。
【請求項２１】
前記ステップａが、往復時間測定のみのための前記ユーザ装置へのダウンリンク伝送信号を送信することを含む請求項11記載の方法。
【請求項２２】
前記ステップａが、
ダウンリンク伝送信号を、前記アクティブなノードの各々から前記ユーザ装置へ送信し、
前記ユーザ装置にて、前記ダウンリンク伝送に対する応答を生成し、前記ユーザ装置から複数の前記アクティブなノードへのアップリンク伝送で、前記応答をそれぞれ送信し、
前記アクティブなノードの各々にて、前記ダウンリンク伝送信号の送信開始から前記アップリンク伝送信号の受信開始までの時間を測定することを、
含む請求項21記載の方法。
【請求項２３】
前記ステップｂが、前記ユーザ装置から前記ノードのうちの1つへと送信される前記応答とともに、前記の現在のタイミング遅延を送信することを含む請求項22記載の方法。
【請求項２４】
前記ステップａが、前記ユーザ装置及び前記アクティブなノード間のダウンリンク伝送及びアップリンク伝送の前記往復時間を測定することを含み、前記ダウンリンク伝送及びアップリンク伝送は、前記往復時間の測定以外の目的のためになされる伝送を含む請求項11記載の方法。
【請求項２５】
前記ステップａが、
ダウンリンク伝送信号を、前記アクティブなノードから前記ユーザ装置へ送信し、
前記ユーザ装置にて、所定のそのダウンリンク伝送に対する応答を生成し、
前記ユーザ装置から前記アクティブなノードへのアップリンク伝送で、前記応答を送信し、
前記ノードの各々にて、前記ダウンリンク伝送の送信開始から前記アップリンク伝送の受信開始までの時間を測定することを、
含む請求項24記載の方法。
【請求項２６】
前記ステップｂが、前記ユーザ装置から前記ノードのうちの1つへ送信される前記応答とともに、ユーザ装置のRx-Txタイミング差を送信することを含む請求項25記載の方法。
【請求項２７】
前記ステップｆが、
前記伝搬遅延を用いて、前記アクティブなノードの各々からの前記ユーザ装置の距離を求め、
前記アクティブなノードの各々を中心とする双曲面を算出し、各双曲面の半径が、前記アクティブなノードのそれぞれからの前記ユーザ装置の距離になっており、
前記ユーザ装置の地理的位置を、前記双曲面の交差した部分として特定することを、
含む請求項11記載の方法。
【請求項２８】
測位サービスサーバを備える無線ネットワークにおいて、ユーザ装置の地理的位置を特定する方法であって、
ａ．前記ユーザ装置から前記無線ネットワークの既知の位置の第１のノードまでの往復時間を測定するステップであって、該往復時間が、該無線ネットワークの該第１のノードから該ユーザ装置へのダウンリンク伝送信号の送信の開始から、該ダウンリンク伝送信号への応答としての該ユーザ装置から該第１のノードへのアップリンク伝送信号の受信までの時間を含む、測定するステップと、
ｂ．前記ステップａにおける前記ユーザ装置での前記ダウンリンク伝送信号の受信の開始及び前記ユーザ装置からの前記アップリンク伝送信号の送信の開始の間の時間差を含むユーザ装置のRx-Txタイミング差を前記ユーザ装置により測定するステップと、
ｃ．前記ステップａで測定した前記往復時間から、前記ステップｂで求めた前記ユーザ装置のRx-Txタイミング差を減算することにより、前記ユーザ装置及び前記ノード間の伝搬遅延を算出するステップと、
ｄ．前記第１のノードにおける前記ステップａに使用された無線信号の到来角度を求めるステップと、
ｅ．前記第１のノードの地理的位置、前記第１のノードからの距離を算出するための前記ステップｃからの前記伝搬遅延、及び前記ステップｄで求めた前記到来角度を用いて、前記ユーザ装置の推定位置を求めるステップと、を備える方法。
【請求項２９】
前記ステップａ〜ｅが、第2のノードについて繰り返され、前記ステップｅは、前記第1及び第2のノードの各々からの前記ユーザ装置の距離を算出するための前記伝搬遅延、並びに、前記第1及び第2のノードの各々における前記到来角度を用いて、推定位置を求めることを含む請求項28記載の方法。
【請求項３０】
コアネットワーク、複数の無線ネットワーク制御装置、及び、複数の無線通信ノードであって前記のノードによりサポートされている地理的領域に配置されたユーザ装置と通信するための前記複数の無線通信ノードを含む無線通信システムにおける測位サービスサーバであって、
無線ネットワークのノードから前記ユーザ装置へのダウンリンク伝送信号の送信開始から、該ダウンリンク伝送信号への応答としての前記ユーザ装置から前記ノードへのアップリンク伝送信号の受信までの時間を測定することにより、往復時間を求める手段と、
往復時間の測定期間中に、前記ユーザ装置での前記ダウンリンク伝送信号の受信の開始及び該ユーザ装置からのアップリンク伝送信号の送信の開始の間の時間差を含むユーザ装置のRx-Txタイミング差を前記ユーザ装置により測定する手段と、
前記往復時間から前記ユーザ装置のRx-Txタイミング差を減算することにより、往復時間遅延を算出する手段とを、
備える測位サービスサーバ。
【請求項３１】
複数のノードについての往復時間及びユーザ装置のRx-Tx時間差を求める手段と、前記複数のノードの地理的位置を求める手段と、前記複数のノードについての真の前記往復時間遅延及び前記複数のノードの地理的位置を用いて、ユーザ装置の地理的位置を特定する手段とを、さらに備える請求項30記載の測位サービスサーバ。
【請求項３２】
前記ノードにおける無線信号の到来角度を求める手段と、前記ノードの位置を求める手段と、前記到来角度、前記往復時間遅延、及び前記ノードの前記位置を用いて、前記ユーザ装置の位置を特定する手段とを、さらに備える請求項30記載の測位サービスサーバ。
【請求項３３】
コアネットワーク、複数の無線ネットワーク制御装置、及び、複数の無線通信ノードであって該ノードによりサポートされている地理的領域に配置されたユーザ装置と通信するための前記複数の無線通信ノードを含む無線通信システムにおけるユーザ装置であって、該ユーザ装置でのダウンリンク伝送信号の受信の開始及び該ダウンリンク伝送信号への応答としての前記ユーザ装置からのアップリンク伝送信号の送信の開始の間の時間差を含むユーザ装置のRx-Txタイミング差を測定する手段を、備えるユーザ装置。
【発明の詳細な説明】
【０００１】
〔発明の背景〕
1.発明の分野
本発明は、第3世代符号分割多元接続ネットワークにて、真の往復時間を測定してユーザ装置の位置を求めることに関する。
【０００２】
2.関連技術の説明
第3世代(3G)移動体通信システムには、無線信号を測定してユーザ装置(UE:User Equipment)の地理的位置を特定する測位サービス(LCS:LoCation Services)が含まれている。位置情報は、クライアント、及び/又は、UE若しくは3G移動体通信システムのコアネットワーク(CN:Core Network)における外部クライアントに関連したアプリケーションにより、要求されるとともに、これらに対して通知される。さらに、位置情報は、3G移動体通信システムの汎用地上無線アクセスネットワーク(UTRAN:Universal Terrestrial Radio Access Network)にも利用され、位置測定に支援されたハンドオーバを容易にするか、あるいは、ホームロケーション課金(home location billing)等の他の機能を支援している。
【０００３】
3G移動体通信システムのLCSは、移動体通信グローバルシステム(GSM)に使用されてきた方法に基づいている。なお、この方法には、到達時刻(TOA:Time of Arrival)法、測定到達時間差(OTDOA:Observed Time Difference of Arrival)法、及び全地球測位システム(GPS)法等がある。これらの測位方法は、GSM03.71技術仕様書,第7.2.1版に記述されている。TOA法には、UEから信号を送信し、3つ以上の測定ユニットにて信号の到達時刻を測定することが含まれている。測定された到達時刻が2つずつの組で減算されることにより到達時間差が算出される。そして、双曲線三辺測量によって移動体の位置が算出される。しかしながら、実際の時間差を求めるためには、3つの測定ユニット間の実時間差(RTD)が、既知であるか又は測定される必要がある。
【０００４】
LCSのOTDOA法では、いくつかのノード又は無線基地局からの信号のUEにおける到達時刻の差が測定される。また、この方法では、複数のBTS間のRTDが求められることが必要である。LCSにおけるTOA及びOTDOAの両方法のためにRTDを求めることは複雑であるためシステムの効率を低減させてしまう。
【０００５】
その一方で、GPSの支援による測位方法では、UEがGPS受信器を有している必要がある。この要件によりUEは、かさばることになり、そのコストが上昇してしまう。
【０００６】
〔発明の概要〕
本発明の目的は、真の往復時間(RTT:Round Trip Time)を算出することにより、UEの地理的位置を特定する方法を提供することにある。
【０００７】
本発明の一実施例によると、3G無線ネットワークにてUEの地理的位置を特定する方法には、UE、及び無線ネットワークの少なくとも3つの無線伝送ノード間のRTTを測定することが含まれている。RTTとは、ノードからUEへダウンリンク(DL)伝送がなされて、該DL伝送に応答してこのUEからそのノードへアップリンク(UL)伝送がなされるのに要する時間のことである。図4にRTTを示す。時刻τ1に、無線ネットワークのノードBが、専用物理チャネル(DPCH)パスでDL伝送の送信を開始する。このDL伝送は、時刻τ2にUEによって受信される。時刻τ2は、時刻τ1から片道伝搬遅延Tpが経過した時刻である。公称伝送タイミング遅延T0に等しい時間が経過した後、UEは時刻τ3にDL伝送に応答してDPCHパスでUL伝送の送信を開始する。片道伝搬遅延Tpがもう一度経過した後、ノードBは時刻τ4にUL伝送を受信する。従って、RTTは、第1の片道伝搬遅延、公称伝送タイミング遅延及び第2の片道伝搬遅延を含んでいる。すなわち、RTT=Tp+T0+Tpである。公称伝送タイミング遅延は、1024チップの定数値として規定されている。
【０００８】
3G移動体通信システムにおける汎地上無線アクセスネットワーク(UTRAN)の無線基地局(BTS)等のノードBにおけるセルにより測定されたRTTは、概略で、τ1及びτ4間の時間差として規定される。公称伝送タイミング遅延、すなわちUEにおけるDL-ULのタイミングオフセットT0(τ3-τ1)が既知であるので、2Tpに等しい往復伝搬遅延(RTPD)は、RTTからT0を減算することにより算出可能である。RTPDは距離(すなわち、時間×速度)に関係しているので、UEが、位置が既知の3つ以上のUTRANノードに接続されていれば、そのUEの位置は推定可能である。
【０００９】
しかしながら、3Gネットワークでは、UEのRx-Txタイミング差は、UEでDL伝送が受信されてからUEからUL伝送が送信されるまでの時間(すなわちτ3-τ2)であり、これは固定的な期間ではなく、(1)UEがBTSに対して比較的早く近接又は離反して移動している場合、(2)伝搬パスが変化する場合、及び(3)あるセルから他のセルへUEのソフトハンドオーバがなされる場合に、公称伝送タイミング遅延T0とは異なったものとなりうる。従って、公称伝送タイミング遅延T0を用いるRTTに基いた地理的位置はある程度不正確なものとなりうる。
【００１０】
本発明によると、RTT及びUEのRx-Txタイミング差(τ3-τ2)は、LCSサーバ又は他のサーバがUEの位置を算出する時にUEが接続されている各セルについて求められる。これらの値を用いて、真のRTPDが正確に算出される。
【００１１】
UEのRx-Txタイミング差と公称伝送タイミング遅延T0との差に起因するRTT測定に関連した伝搬遅延算出における不正確さが、本発明により除去される。好適な実施例では、RTTは、UEとアクティブに通信中の各セルについて個別に測定される。従って、好適な実施例では、測定に使用される様々なノード間における実時間差(RTD)を求めるための要件が必要でなくなる。
【００１２】
本発明の他の目的及び特徴は、添付の図面とともに考察される以下の詳細な説明により明らかになる。しかし、図面は、説明の目的のみに用意されたものであり、本発明の範囲を規定するものではないことが理解されるべきである。本発明の範囲を規定するには、特許請求の範囲が参照されるべきである。また、図面は、必ずしも正しく縮尺して描かれているわけではなく、特にことわらない限り、単に、ここに記述した構成及び手順を概念的に説明すべく作成されたものである。
【００１３】
〔現時点での好適な実施例の詳細な説明〕
図1に、本発明による方法を実行するための第3世代(3G)移動体通信システム100を示す。第3世代移動体通信システム100は、測位サービス(LCS)サーバ15を有するコアネットワーク(CN)10を備えている。LCSサーバ15は、当該CN10がカバーする地理的領域におけるユーザ装置(UE)20の位置情報を提供する。UE20は、1つ又はいくつかの汎用移動体電話システム(UMTS)加入者識別モジュールを有する移動装置である。UE20は、携帯電話、携帯情報端末(PDA)、WAP技術に基づく装置、又は無線通信可能な他の移動装置を備えていてもよい。複数の無線ネットワークサブシステム(RNS)40が、CN10に対して動作可能なように接続されている。各RNS40は、複数の無線伝送ノード30を備えている。各ノード30は、ノードB、すなわち当該ノードBの地理的領域内の1つ又はそれ以上のセルにおけるUEとの無線通信のための論理ノードを備えている。また、各RNS40は、1つ又はそれ以上の無線ネットワーク制御装置(RNC)35を有している。各RNC35は、無線資源の使用及び保全性を制御するために、1つ又はそれ以上のノード30と接続されている。これらRNS40を総合して、汎地上無線アクセスネットワーク(UTRAN)50と称する。また、CN10は、データ伝送のための3G在圏GRRSサポートノード(SGSN)60、及び音声伝送のための3G移動交換局(MSC)70を備えている。
【００１４】
LCSサーバ15は、位置情報を求め、該位置情報を、クライアント、又は、UE20若しくは3G移動体通信システム100のCN10に接続された外部クライアント80に関連したアプリケーションに通知する。また、位置情報は、3G移動体通信システムのUTRAN50により使用されて、位置測定に支援されたハンドオーバを容易にし、及び／又はホームロケーション課金等の他の機能を支援してもよい。さらに、位置情報は、UE20に向けた通信信号の直接送信を容易にするために要求されてもよい。
【００１５】
本発明の好適な実施例では、LCSサーバ15は、UE20と少なくとも3つのノード30のセルとの真の往復時間(RTT)を求める。これは、UEへ向けた少なくとも3つのノード30のセルからのダウンリンク(DL)伝送における所定のフレームを伝送することにより実行されてもよい。なお、前記セルに対して、UEはアップリンク(UL)伝送における所定のフレームで応答する。図4のタイミングチャートを参照すると、LCSサーバ15は、UTRAN50からUE20へのDL伝送の開始時τ1から、UTRANでのUL伝送の受信開始時τ4までのRTTを測定する。RTTには、UE20からノード30への伝送の片道伝搬遅延Tp及びノード30からUE20への伝送の片道伝搬遅延Tpが含まれている。RTTへの他の寄与分として、UE20が、DL伝送を受信してUL伝送を送信するまでに要する時間であるUEのRx-Txタイミング差τ3-τ2がある。UEのRx-Txタイミング差は、公称値が1024チップである。また、UEのRx-Txタイミング差の公称値は、公称伝送タイミング遅延あるいはDL-ULタイミングオフセットとも呼ばれる。しかしながら、UEのRx-Txタイミング差τ3-τ2が、定められた公称値と異なりうるいくつかの状況が存在する。(1)UEがノード又はBTSに対して近接又は離反して移動している場合、(2)伝搬パスが変化する場合、及び(3)UEがあるセルから他のセルへ切り換わるソフトハンドオーバがなされる場合に、このような状況が発生する。
【００１６】
UE20がBTSに対して近接又は離反して移動している間に、τ1及びτ2間の伝搬遅延は変化する。UE20は、τ3-τ2が、公称伝送タイミング遅延の1024チップに等しくなるように、この変化に応じてτ3を変化させる。しかしながら、毎回の増分においてτ3が変化しうる量は限られている。従って、あまり速く移動すると、UE20は、増分の限界により、τ3の時刻を充分に早く調整できなくなる。
【００１７】
伝搬パスが変化するときにも、同種のエラーが発生する。伝搬パスが変化するとき、新しい伝搬パスは、通常、先の伝搬パスとは長さが異なっている。従って、伝搬パスが変化する際に伝搬遅延が変化して、τ2及びτ3間の時間に影響を与える。
【００１８】
UEのRx-Txタイミング差が公称伝送タイミング遅延T0とは異なりうるという第3の状況は、ソフトハンドオーバ後のことである。元々のセルから対象セルへとUEのソフトハンドオーバがなされている間、対象セルは、256チップを限界とする精度内のUEのタイミングに適応する。従って、UEのRx-Txタイミング差は、通常、ソフトハンドオーバ後には正しくなくなっている。ソフトハンドオーバ後に、UEのRx-Txタイミング差と公称伝送タイミング遅延T0との間のエラーが0になる確率は、1/255である。このような不一致は、UEのRx-Txタイミング差と規定伝送タイミング値T0との間に現れ、測定されるRTTの伝搬遅延部分を算出するのに有害である。従って、LCSサーバ15は、測位要求を受信すると、真の往復伝搬遅延(RTPD)を算出するためにUE20のRx-Txタイミング差を求める必要がある。現在のUEのRx-Txタイミング差に関する情報は、必要なとき(すなわち測位要求に応答して)にのみUE20からLCSサーバ15へ伝送されてもよく、あるいは、定期的な時間間隔で伝送されてもよい。
【００１９】
DL及びUL伝送の伝搬遅延Tpの長さが、ノード30からのUE20の距離に関係している(すなわち、距離=時間×速度)ので、ある特定のノード30からのUE20の距離は、UEのRx-Txタイミング差が既知であれば、RTTから算出可能である。少なくとも3つのノード30からのUE20の距離が算出され、これらの少なくとも3つのノードの位置が既知であるとき、UE20の位置は、3つのノード30の既知の位置を中心とした3つの半径範囲の交差した部分を算出することにより、求めることができ、その場合半径はそれぞれのノードからの距離である。
【００２０】
LCSサーバ15は、ネットワーク内のどこに位置していてもよく、RNC35やRNS40のような他の部分に組み込まれていてもよい。また、他のCN10aに配置されたLCSサーバ15aが、RTT測定を要求することもある。
【００２１】
図2は、信号フローチャートであり、図3は、真のRTTを測定することによりUEの位置を特定するのに必要とされるステップを示すフローチャートである。図3を参照すると、ステップ200にて、ユーザ装置の測位要求が開始される。これは、ハンドオフ動作や指向性伝送のようなユーザ装置に関する動作の実行に役立つようにユーザ装置、コアネットワークのクライアント、又はコアネットワーク自身により実行されてもよい。この要求に応答して、ステップ210では、UEとUTRAN50におけるアクティブなノードB30との間でRTTが測定され、その結果が、LCSサーバ15へ伝送される。図2に、RTT測定のための信号フローを示す。RNCは、UEに対して、OTDOA及びUEのRx-Txタイミング差をアクティブな各ノードBについて測定するための要求を送信する。アクティブな各ノードBはUEにDL伝送を送信し、UEは、応答として、アクティブな各ノードBにより受信されたUL伝送を送信する。測定結果は、LCSサーバ15へ送信される。ステップ210では、RNCは、アクティブなノードBからのRTTの測定を要求し、アクティブなノードB30のBTS(セル)の位置もLCSサーバ15に送信される。ステップ220では、UEのRx-Txタイミング差及びRTT測定の結果が、LCSサーバに返信される。これらの結果は、個別にあるいはUEからのアップリンク伝送とともに、送信されてもよい。全ての測定の結果は、LCSサーバ15へ送信される。そして、LCSサーバ15は、RTTにおける伝搬遅延に関連する部分を求める。伝搬遅延が距離に関係している(すなわち、距離=速度×時間)ので、ステップ230で、アクティブな各ノード30からのUEの距離が算出される。少なくとも3つのノードの各々からの距離が、アクティブな各ノード30を中心とした円を作成するのに使用される。なお、各円の半径は、アクティブなノード30のうちのそれぞれのものからのUEの距離になっている。そして、ステップ240で、これらの円の交点を求めることにより、UEの位置が算出される。
【００２２】
RTTを測定するステップであるステップ210は、DL伝送における1つのフレームを、特にRTT測定のために伝送することにより、実行される。その代わりに、RTTは、例えばセル選択、セル再選択、及び/又はセル監視に関する信号のような他の機能のためのDL伝送中に、測定されてもよい。それにより、必要となる伝送の回数を減らすことができる。さらに、RTTは、定期的に測定され、そのRTTの現在の測定が、UEの地理的位置を求めるために用いられてもよい。
【００２３】
ステップ210に、RTTを定期的に測定することが含まれていれば、現在のUEのRx-Txタイミング差を伝送するステップであるステップ220は、定期的な測定がなされる度毎にともに実行されてもよい。その代わりに、現在のUEのRx-Txタイミング差を伝送するステップであるステップ220は、LCSサーバ15による測位要求の度毎に実行されてもよい。さらなる実施例では、ステップ220は、UEがそのUEのRx-Txタイミング差を変更した時に、実行されてもよい。
【００２４】
さらに、1つ又は2つのBTSのみがRTTの測定を実行するのに利用可能であれば、到来角度(AOA)情報が、UEの位置を求めるのに使用されてもよい。AOA情報は、3G・TS25.305技術仕様書,第3.1.0版に記述されているように、測定されてもよい。AOA情報を収集することに関し、典型的には、各BTSはいくつかのセクタを有し、各UEは1つ又はいくつかのセクタに接続され、アクティブなセクタのリストから、BTSはAOAの概略の推定を取得可能である。例えば、BTSが3つのセクタを有していれば、各セクタは、アンテナの周囲の合計360°のうちの120°を分担する。スマートアンテナを使用すると、推定角度を狭くすることができる。図5を参照すると、UE20の推定位置500は、BTS30を中心とした半径範囲510を求めるための真のRTPDの測定、及びBTS30でのAOA測定520を使用して、算出されてもよい。本方法を用いた推定位置500の精度は、AOA測定520の精度によって決まる。図6に、2つのBTSを用いた推定位置を示す。2つのBTS30がRTPD測定のみを用いたならば、UE20は、2つの円510A,510Bの交点500A,500Bのいずれかに位置しうる。AOA情報520A,520Bにより、正しいUEの位置の測定が可能となる。図6に示す状況では2つのBTSがUEに接続しており、この状況は、ソフトハンドオーバの間に発生する。なお、WCDMAネットワークでは、ソフトハンドオーバが頻繁に発生する。従って、2つのBTSからの真のRTT及びAOA情報を用いた位置の推定は、WCDMAネットワークでは、余分な通信トラフィックなしに容易に使用されうる。
【００２５】
このように、本発明の基本的な新しい特徴が、その好適な一実施例に適用されたものとして説明されたが、様々な省略及び置換や図示された装置の形態及び詳細並びにそれらの動作の変更が、本発明の精神から外れることなく当業者によってなされてもよい。例えば、実質的に同じ機能を実質的に同じ手法で同じ結果を達成するために実行されるこれら方法ステップのあらゆる組み合わせが本発明の範囲に入ることが、特に意図されている。さらに、あらゆる開示された形態又は本発明の実施例と関連して説明及び/又は記述された構成及び/又は要素及び/又は方法ステップは、他のあらゆる開示又は記述又は示唆された形態又は実施例に、設計選択の一般事項として組み込まれてもよい。従って、特許請求の範囲に示されるようにのみ限定されることが、意図されている。
【図面の簡単な説明】
【図１】  測位サービスサーバを有する第3世代移動体通信システムの略図を示す図である。
【図２】  本発明による方法の信号フローチャートを示す図である。
【図３】  本発明の一実施例によるUEの地理的位置特定のステップを示すフローチャートを示す図である。
【図４】  往復時間の伝搬遅延及び伝送タイミング遅延を示すタイミングチャートを示す図である。
【図５】  1つのRTT測定及び1つのAOA測定を用いてUEの位置を特定するために使用される測定を示す略図を示す図である。
【図６】  2つのRTT測定及び2つのAOA測定を用いてUEの位置を特定するために使用される測定を示す略図を示す図である。
【図１】
0003958577.tif 000002
【図２】
0003958577.tif 000003
【図３】
0003958577.tif 000004
【図４】
0003958577.tif 000005
【図５】
0003958577.tif 000006
【図６】
0003958577.tif 000007